(57)【特許請求の範囲】
【請求項１】
支持杆及び保持部を有するアーム保持工具と支持杆及び把持部を有するアーム把持工具
とによって、配電設備の（柱状設備の）アームを高所に取付ける工法であって、
長手方向を有するアームの一端側に、アーム保持工具における、長尺状の支持杆の先端
又はその近傍に設けられた環状又はＵ字状の保持部を、アームの一端から挿入して配置す
るステップと、
長手方向を有するアームの他端側に、アーム把持工具における、長尺状の支持杆の先端
又はその近傍に設けられた把持部を、アームの側方から嵌入して把持するステップと、
前記保持部とは反対側のアームの端部の近傍を握持しアームを支持して、保持部を高所
に差し上げるステップと、
前記把持部とは反対側のアームの端部の近傍を握持しアームを支持して、把持部を高所
に差し上げるステップと、
高所において、アーム固定部操作具の支持杆の先端に設けられた固着部を該支持杆の後
端側にて操作して、アーム固定部にて、アーム取付け部に取付けるステップとを含み、
前記保持工具の保持部は、
アームの少なくとも下方を保持する形状であり、
その下端又は下隅部から保持連結部を突設され、
前記保持部は、支持杆の先端に回動自在に連結され
前記保持連結部は、保持部の下端で隅部に連設された第１連結部と、支持杆を取り付け
るための第２連結部と、該第１連結部と第２連結部とを可動自在に連結する可動連結部と
を有し、
前記可動連結部は、第１連結部の端部に形成された第１噛合部と、第２連結部の端部に
形成された第２噛合部とを有し、更に、可動連結部は、第１連結部と第２連結部と角度を
変更するときに第１噛合部と第２噛合部との噛合を外して、第１連結部と第２連結部との
角度を変更した後、第１噛合部と第２噛合部とを、噛合させた状態に固定するための螺着
部を備え、
前記把持工具の把持部は、
アームの少なくとも側方と下方と上方とを把持する形状で、その下端又は下隅部から把
持連結部を突設され、
支持杆の先端に回動自在に連結され、
前記把持連結部は、把持部の下端で隅部に連設された第１連結部と、支持杆を取り付け
るための第２連結部と、該第１連結部と第２連結部とを可動自在に連結する可動連結部と
を有し、
前記可動連結部は、第１連結部の端部に形成された第１噛合部と、第２連結部の端部に
形成された第２噛合部とを有し、更に、可動連結部は、第１連結部と第２連結部と角度を
変更するときに第１噛合部と第２噛合部との噛合を外して、第１連結部と第２連結部との
角度を変更した後、第１噛合部と第２噛合部とを、噛合させた状態に固定するための螺着
部を備える、
アーム取付け間接工法。
【請求項２】
配電設備（柱状設備）のアームを、高所に取付ける間接工法に用いられる工具であって
、
前記工具は、支持杆及び保持部を有するアーム保持工具と支持杆及び把持部を有するア
ーム把持工具とによって構成され、
前記アーム保持工具は、
長尺状の支持杆と、該支持杆の先端又は先端の近傍に設けられ、アームの少なくとも下
方を保持する形状の保持部とを備え、
前記アーム保持工具の保持部は、
アームの一端から挿入して配置できるように環状又はＵ字状に形成され、
その下端又は下隅部から保持連結部を突設され、
支持杆の先端に回動自在に連結され
前記保持連結部は、保持部の下端で隅部に連設された第１連結部と、支持杆を取り付け
るための第２連結部と、該第１連結部と第２連結部とを可動自在に連結する可動連結部と
を有し、
前記可動連結部は、第１連結部の端部に形成された第１噛合部と、第２連結部の端部に
形成された第２噛合部とを有し、更に、可動連結部は、第１連結部と第２連結部と角度を
変更するときに第１噛合部と第２噛合部との噛合を外して、第１連結部と第２連結部との
角度を変更した後、第１噛合部と第２噛合部とを、噛合させた状態に固定するための螺着
部を備え、
前記アーム把持工具は、長尺状の支持杆と、その先端又は先端の近傍に設けられ、アー
ムの少なくとも側方と下方と上方とを把持する形状の把持部とを備え、
前記アーム把持工具の把持部は、アームの他端側のアームの側方から嵌入し把持できる
ように形成され、
その下端又は下隅部から把持連結部を突設され、
支持杆の先端に回動自在に連結され、
前記把持連結部は、把持部の下端で隅部に連設された第１連結部と、支持杆を取り付け
るための第２連結部と、該第１連結部と第２連結部とを可動自在に連結する可動連結部と
を有し、
前記可動連結部は、第１連結部の端部に形成された第１噛合部と、第２連結部の端部に
形成された第２噛合部とを有し、更に、可動連結部は、第１連結部と第２連結部と角度を
変更するときに第１噛合部と第２噛合部との噛合を外して、第１連結部と第２連結部との
角度を変更した後、第１噛合部と第２噛合部とを、噛合させた状態に固定するための螺着
部を備え、
前記保持部とは反対側のアームの端部の近傍を握持して支持杆を高所に差し上げ、且つ
、前記把持部とは反対側のアームの端部の近傍を握持して支持杆を高所に差し上げ、アー
ムを高所に取付けるように構成された、アーム取付け間接工法に用いるアーム取付け工具
。
【請求項３】
アーム保持工具は、保持部の下端又は下隅部から保持連結部を突設され、
該保持連結部は、保持部より斜め下方に向けてのび、その先端において、支持杆の先端
に回動自在に連結され、
前記保持連結部は、保持部の下端で隅部に連設された第１連結部と、支持杆を取り付け
るための第２連結部と、該第１連結部と第２連結部とを可動自在に連結する可動連結部と
を有し、
前記可動連結部は、第１連結部の端部に形成された第１噛合部と、第２連結部の端部に
形成された第２噛合部とを有し、更に、可動連結部は、第１連結部と第２連結部と角度を
変更するときに第１噛合部と第２噛合部との噛合を外して、第１連結部と第２連結部との
角度を変更した後、第１噛合部と第２噛合部とを、噛合させた状態に固定するための螺着
部を備え、
アーム保持工具の保持部は、上方に向けて差し上げられて傾いたとき、偏位したアーム
の複数領域が保持部のアーム挿入縁に当接して、固定され、
アーム把持工具は、把持部の下端又は下隅部から把持連結部を突設され、
前記把持連結部は、
把持部より斜め下方に向けてのび、その先端において、支持杆の先端に回動自在に連結
され、
前記把持連結部は、把持部の下端で隅部に連設された第１連結部と、支持杆を取り付け
るための第２連結部と、該第１連結部と第２連結部とを可動自在に連結する可動連結部と
を有し、
前記可動連結部は、第１連結部の端部に形成された第１噛合部と、第２連結部の端部に
形成された第２噛合部とを有し、更に、可動連結部は、第１連結部と第２連結部と角度を
変更するときに第１噛合部と第２噛合部との噛合を外して、第１連結部と第２連結部との
角度を変更した後、第１噛合部と第２噛合部とを、噛合させた状態に固定するための螺着
部を備え、
アーム把持工具の把持部は、把持本体のアーム配設部に設けられた上挟持部と下挟持部
とを備え、
該上挟持部と下挟持部の少なくともいずれか一方が、上下動自在に設けられ、
前記アーム配設部の横に設けられた開口部より入れられたアームの上側領域を、上挟持
部により挟持し且つ下側領域を下挟持部により挟持して、アームを把持するように形成さ
れた、請求項２に記載のアーム取付け間接工法に用いるアーム取付け工具。
【請求項４】
アームは、角柱状であり、
アーム保持工具は、保持部がアームの外形に相似又は近似したアーム挿入縁を備え、
アーム把持工具は、把持部の上挟持部がアームの外形に相似又は近似したアーム当接縁
を備え、且つ、把持部の下挟持部がアームの外形に相似又は近似したアーム当接縁を備え
、
前記上挟持部のアーム当接縁と下挟持部のアーム当接縁とが対向し、下挟持部のアーム
当接部を、該アーム当接部に突設された螺子棒を回転して螺送できるように構成された、
請求項２又は請求項３に記載のアーム取付け間接工法に用いるアーム取付け
工具。
【発明の詳細な説明】
【技術分野】
【０００１】
この発明は、アーム取付け間接工法及びその工法に用いるアーム取付け工具に関し、特に、例えば、高所作業車を用いて電柱に対する配線工事等を行うときに、電柱に取付けられるアーム（例えば、電線支持用の腕木もしくは腕金、ＰＣアーム、ＣＦアーム等と称されるような電柱に水平に延びて取り付けられる部材）を取り付けるアーム取付け間接工法及びその工法に用いるアーム取付け工具に関する。
【背景技術】
【０００２】
従来、電柱に対する配線工事等において、車体上に起伏・伸縮作動等が自在なブームを設けるとともに、このブームの先端部に作業者搭乗用の作業台が設けられた高所作業車を用いることが知られている。このような配線工事等に際して、ＣＦ遮断機及び腕金等のアームを電柱の上部に横方向に取り付けたり、これを取り外したりすることがある。
【先行技術文献】
【特許文献】
【０００３】
【特許文献１】特開２００１−３４１９９０号公報
【発明の概要】
【発明が解決しようとする課題】
【０００４】
このようなＣＦ遮断機及び腕木等のアームを電柱に取り付けたり、取り外したりする作業を、高所作業車に搭乗した作業者は、直接的に手作業で行うことがある。
しかしながら、電柱には活線等が取り付けられているため、作業者に対する危険性を配慮する必要がある。
【０００５】
この発明は、このような問題に鑑みてなされたもので、アームを柱状物に取り付ける作業を間接的に行えるアーム取付け間接工法及びその工法に用いるアーム取付け工具を提供することを目的とする。
【課題を解決するための手段】
【０００６】
この発明の請求項１にかかるアーム取り付け間接工法は、支持杆及び保持部を有するア
ーム保持工具と支持杆及び把持部を有するアーム把持工具とによって、配電設備の（柱状
設備の）アームを高所に取付ける工法であって、長手方向を有するアームの一端側に、ア
ーム保持工具における、長尺状の支持杆の先端又はその近傍に設けられた環状又はＵ字状
の保持部を、アームの一端から挿入して配置するステップと、長手方向を有するアームの
他端側に、アーム把持工具における、長尺状の支持杆の先端又はその近傍に設けられた把
持部を、アームの側方から嵌入して把持するステップと、前記保持部とは反対側のアーム
の端部の近傍を握持しアームを支持して、保持部を高所に差し上げるステップと、前記把
持部とは反対側のアームの端部の近傍を握持しアームを支持して、把持部を高所に差し上
げるステップと、高所において、アーム固定部操作具の支持杆の先端に設けられた固着部
を該支持杆の後端側にて操作して、アーム固定部にて、アーム取付け部に取付けるステッ
プとを含み、前記保持工具の保持部は、アームの少なくとも下方を保持する形状であり、
その下端又は下隅部から保持連結部を突設され、前記保持部は、支持杆の先端に回動自在
に連結され前記保持連結部は、保持部の下端で隅部に連設された第１連結部と、支持杆を
取り付けるための第２連結部と、該第１連結部と第２連結部とを可動自在に連結する可動
連結部とを有し、前記可動連結部は、第１連結部の端部に形成された第１噛合部と、第２
連結部の端部に形成された第２噛合部とを有し、更に、可動連結部は、第１連結部と第２
連結部と角度を変更するときに第１噛合部と第２噛合部との噛合を外して、第１連結部と
第２連結部との角度を変更した後、第１噛合部と第２噛合部とを、噛合させた状態に固定
するための螺着部を備え、前記把持工具の把持部は、アームの少なくとも側方と下方と上
方とを把持する形状で、その下端又は下隅部から把持連結部を突設され、支持杆の先端に
回動自在に連結され、前記把持連結部は、把持部の下端で隅部に連設された第１連結部と
、支持杆を取り付けるための第２連結部と、該第１連結部と第２連結部とを可動自在に連
結する可動連結部とを有し、前記可動連結部は、第１連結部の端部に形成された第１噛合
部と、第２連結部の端部に形成された第２噛合部とを有し、更に、可動連結部は、第１連
結部と第２連結部と角度を変更するときに第１噛合部と第２噛合部との噛合を外して、第
１連結部と第２連結部との角度を変更した後、第１噛合部と第２噛合部とを、噛合させた
状態に固定するための螺着部を備える、アーム取付け間接工法である。
この発明の請求項２にかかるアーム取付け間接工法に用いるアーム取付け工具は、配電
設備（柱状設備）のアームを、高所に取付ける間接工法に用いられる工具であって、前記
工具は、支持杆及び保持部を有するアーム保持工具と支持杆及び把持部を有するアーム把
持工具とによって構成され、前記アーム保持工具は、長尺状の支持杆と、該支持杆の先端
又は先端の近傍に設けられ、アームの少なくとも下方を保持する形状の保持部とを備え、
前記アーム保持工具の保持部は、アームの一端から挿入して配置できるように環状又はＵ
字状に形成され、その下端又は下隅部から保持連結部を突設され、支持杆の先端に回動自
在に連結され、前記保持連結部は、保持部の下端で隅部に連設された第１連結部と、支持
杆を取り付けるための第２連結部と、該第１連結部と第２連結部とを可動自在に連結する
可動連結部とを有し、前記可動連結部は、第１連結部の端部に形成された第１噛合部と、
第２連結部の端部に形成された第２噛合部とを有し、更に、可動連結部は、第１連結部と
第２連結部と角度を変更するときに第１噛合部と第２噛合部との噛合を外して、第１連結
部と第２連結部との角度を変更した後、第１噛合部と第２噛合部とを、噛合させた状態に
固定するための螺着部を備え、前記アーム把持工具は、長尺状の支持杆と、その先端又は
先端の近傍に設けられ、アームの少なくとも側方と下方と上方とを把持する形状の把持部
とを備え、前記アーム把持工具の把持部は、アームの他端側のアームの側方から嵌入し把
持できるように形成され、その下端又は下隅部から把持連結部を突設され、支持杆の先端
に回動自在に連結され、前記把持連結部は、把持部の下端で隅部に連設された第１連結部
と、支持杆を取り付けるための第２連結部と、該第１連結部と第２連結部とを可動自在に
連結する可動連結部とを有し、前記可動連結部は、第１連結部の端部に形成された第１噛
合部と、第２連結部の端部に形成された第２噛合部とを有し、更に、可動連結部は、第１
連結部と第２連結部と角度を変更するときに第１噛合部と第２噛合部との噛合を外して、
第１連結部と第２連結部との角度を変更した後、第１噛合部と第２噛合部とを、噛合させ
た状態に固定するための螺着部を備え、前記保持部とは反対側のアームの端部の近傍を握
持して支持杆を高所に差し上げ、且つ、前記把持部とは反対側のアームの端部の近傍を握
持して支持杆を高所に差し上げ、アームを高所に取付けるように構成された、アーム取付
け間接工法に用いるアーム取付け工具である。
この発明の請求項３にかかるアーム取付け間接工法に用いるアーム取付け工具は、保持部の下端又は下隅部から保持連結部を突設され、該保持連結部は、保持部より斜め下方に向けてのび、その先端において、支持杆の先端に回動自在に連結され、前記保持連結部は、保持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備え、
アーム保持工具の保持部は、上方に向けて差し上げられて傾いたとき、偏位したアームの複数領域が保持部のアーム挿入縁に当接して、固定され、アーム把持工具は、把持部の下端又は下隅部から把持連結部を突設され、前記把持連結部は、把持部より斜め下方に向けてのび、その先端において、支持杆の先端に回動自在に連結され、前記把持連結部は、把持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備え、アーム把持工具の把持部は、把持本体のアーム配設部に設けられた上挟持部と下挟持部とを備え、該上挟持部と下挟持部の少なくともいずれか一方が、上下動自在に設けられ、前記アーム配設部の横に設けられた開口部より入れられたアームの上側領域を、上挟持部により挟持し且つ下側領域を下挟持部により挟持して、アームを把持するように形成された、請求項２に記載のアーム取付け間接工法に用いるアーム取付け工具である。
この発明の請求項４にかかるアーム取付け間接工法に用いるアーム取付け工具は、アームは、角柱状であり、アーム保持工具は、保持部がアームの外形に相似又は近似したアーム挿入縁を備え、アーム把持工具は、把持部の上挟持部がアームの外形に相似又は近似したアーム当接縁を備え、且つ、把持部の下挟持部がアームの外形に相似又は近似したアーム当接縁を備え、前記上挟持部のアーム当接縁と下挟持部のアーム当接縁とが対向し、下挟持部のアーム当接部を、該アーム当接部に突設された螺子棒を回転して螺送できるように構成された、請求項２又は請求項３に記載のアーム取付け間接工法に用いるアーム取付け工具である。
【発明の効果】
【０００７】
請求項１の発明によれば、支持杆及び保持部を有するアーム保持工具と支持杆及び把持部を有するアーム把持工具とによって、配電設備の（柱状設備の）アームを高所に取付ける工法であって、長手方向を有するアームの一端側に、アーム保持工具における、長尺状の支持杆の先端又はその近傍に設けられた環状又はＵ字状の保持部を、アームの一端から挿入して配置するステップと、長手方向を有するアームの他端側に、アーム把持工具における、長尺状の支持杆の先端又はその近傍に設けられた把持部を、アームの側方から嵌入して把持するステップと、前記保持部とは反対側のアームの端部の近傍を握持しアームを支持して、保持部を高所に差し上げるステップと、前記把持部とは反対側のアームの端部の近傍を握持しアームを支持して、把持部を高所に差し上げるステップと、高所において、アーム固定部操作具の支持杆の先端に設けられた固着部を該支持杆の後端側にて操作して、アーム固定部にて、アーム取付け部に取付けるステップとを含み、前記保持工具の保持部は、アームの少なくとも下方を保持する形状であり、その下端又は下隅部から保持連結部を突設され、前記保持部は、支持杆の先端に回動自在に連結され、前記保持連結部は、保持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備え、前記把持工具の把持部は、アームの少なくとも側方と下方と上方とを把持する形状で、その下端又は下隅部から把持連結部を突設され、支持杆の先端に回動自在に連結され、前記把持連結部は、把持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備えるので、アームを柱状物に取り付ける作業を間接的に行えるアーム取付け間接工法を提供できる。
請求項２の発明によれば、配電設備（柱状設備）のアームを、高所に取付ける間接工法に用いられる工具であって、前記工具は、支持杆及び保持部を有するアーム保持工具と支持杆及び把持部を有するアーム把持工具とによって構成され、前記アーム保持工具は、長尺状の支持杆と、該支持杆の先端又は先端の近傍に設けられ、アームの少なくとも下方を保持する形状の保持部とを備え、前記アーム保持工具の保持部は、アームの一端から挿入して配置できるように環状又はＵ字状に形成され、その下端又は下隅部から保持連結部を突設され、支持杆の先端に回動自在に連結され、前記保持連結部は、保持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備え、前記アーム把持工具は、長尺状の支持杆と、その先端又は先端の近傍に設けられ、アームの少なくとも側方と下方と上方とを把持する形状の把持部とを備え、前記アーム把持工具の把持部は、アームの他端側のアームの側方から嵌入し把持できるように形成され、その下端又は下隅部から把持連結部を突設され、支持杆の先端に回動自在に連結され、前記把持連結部は、把持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備え、前記保持部とは反対側のアームの端部の近傍を握持して支持杆を高所に差し上げ、且つ、前記把持部とは反対側のアームの端部の近傍を握持して支持杆を高所に差し上げ、アームを高所に取付けるように構成されているので、アームを柱状物に取り付ける作業を間接的に行えるアーム取付け間接工法に用いるアーム取付け工具を提供できる。
請求項３の発明によれば、アーム保持工具は、保持部の下端又は下隅部から保持連結部を突設され、該保持連結部は、保持部より斜め下方に向けてのび、その先端において、支持杆の先端に回動自在に連結され、前記保持連結部は、保持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備え、アーム保持工具の保持部は、上方に向けて差し上げられて傾いたとき、偏位したアームの複数領域が保持部のアーム挿入縁に当接して、固定され、アーム把持工具は、把持部の下端又は下隅部から把持連結部を突設され、前記把持連結部は、把持部より斜め下方に向けてのび、その先端において、支持杆の先端に回動自在に連結され、前記把持連結部は、把持部の下端で隅部に連設された第１連結部と、支持杆を取り付けるための第２連結部と、該第１連結部と第２連結部とを可動自在に連結する可動連結部とを有し、前記可動連結部は、第１連結部の端部に形成された第１噛合部と、第２連結部の端部に形成された第２噛合部とを有し、更に、可動連結部は、第１連結部と第２連結部と角度を変更するときに第１噛合部と第２噛合部との噛合を外して、第１連結部と第２連結部との角度を変更した後、第１噛合部と第２噛合部とを、噛合させた状態に固定するための螺着部を備え、アーム把持工具の把持部は、把持本体のアーム配設部に設けられた上挟持部と下挟持部とを備え、該上挟持部と下挟持部の少なくともいずれか一方が、上下動自在に設けられ、前記アーム配設部の横に設けられた開口部より入れられたアームの上側領域を、上挟持部により挟持し且つ下側領域を下挟持部により挟持して、アームを把持するように形成されているので、アームを柱状物に取り付ける作業を間接的に行えるアーム取付け間接工法に用いるアーム取付け工具を提供できる。
請求項４の発明によれば、アームは、角柱状であり、アーム保持工具は、保持部がアームの外形に相似又は近似したアーム挿入縁を備え、アーム把持工具は、把持部の上挟持部がアームの外形に相似又は近似したアーム当接縁を備え、且つ、把持部の下挟持部がアームの外形に相似又は近似したアーム当接縁を備え、前記上挟持部のアーム当接縁と下挟持部のアーム当接縁とが対向し、下挟持部のアーム当接部を、該アーム当接部に突設された螺子棒を回転して螺送できるように構成されているので、アームを柱状物に取り付ける作業を間接的に行えるアーム取付け間接工法に用いるアーム取付け工具を提供できる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１Ａ】本件発明にかかる、アームを電柱に取り付ける方法を示す斜視図解図である。
【図１Ｂ】本件発明にかかる、アームを電柱に取り付ける方法を示す斜視図解図である。
【図２】本件発明にかかる、アーム保持工具の斜視図解図である。
【図３】図２図示アーム保持工具の正面図解図である。
【図４】図２図示アーム保持工具の断面図解図である。
【図５】図２図示アーム保持工具の利用方法を示す斜視図解図である。
【図６】図２図示アーム保持工具の一部を断面とした側面図解図である。
【図７】本件発明にかかるアーム把持工具の斜視図解図である。
【図８】本件発明にかかるアーム把持工具の正面図解図である。
【図９】本件発明にかかるアーム把持工具の使用方法を示す正面図解図である。
【図１０】本件発明にかかるアーム把持工具の側面図解図である。
【図１１】本件発明にかかるアーム把持工具の断面図解図である。
【図１２】本件発明にかかるアーム把持工具の下挟持部の斜視図解図である。
【図１３】本件発明にかかるアーム把持工具の一部を断面とした側面図解図である。
【図１４】支持杆の取り付け方法を示す正面図解図である。
【図１５Ａ】本件発明にかかる、アームを電柱に取り付ける方法を示す斜視図解図である。
【図１５Ｂ】本件発明にかかる、アームを電柱に取り付ける方法を示す斜視図解図である。
【図１６Ａ】本件発明にかかる、アームを電柱に取り付ける方法を示す斜視図解図である。
【図１６Ｂ】本件発明にかかる、アームを電柱に取り付ける方法を示す斜視図解図である。
【図１６Ｃ】本件発明にかかる、アームを電柱に取り付ける方法を示す斜視図解図である。
【図１７Ａ】本件発明にかかる、アームを電柱に取り付ける方法を示す斜視図解図である。
【図１７Ｂ】本件発明にかかる、アームを電柱に取り付ける方法を示す斜視図解図である。
【図１７Ｃ】本件発明にかかる、アームを電柱に取り付ける方法を示す斜視図解図である。
【発明を実施するための形態】
【００１０】
送電線等を支持する電柱や鉄塔等の配電設備の高所に、アーム１０を取付ける工法は、支持杆２２及び保持部２４を有するアーム保持工具２０と支持杆１０２及び把持部１０４を有するアーム把持工具１００とによって、アーム１０を取付ける間接工法である。
アームとは、例えば、図１Ａ及び１Ｂに示すような電線支持用の腕木もしくは腕金、ＰＣアーム、ＣＦアーム等と称されるような電柱に水平に延びて取り付けられる部材である。
【００１１】
本件発明にかかるアーム取付け間接工法は、次の構成を備える。
長手方向を有するアーム１０の一端側に、アーム保持工具２０における、長尺状の支持杆２２の先端又はその近傍に設けられた環状又はＵ字状の保持部２４を、アーム１０の一端から挿入して配置するステップと、長手方向を有するアーム１０の他端側に、アーム把持工具１００における、長尺状の支持杆１０２の先端又はその近傍に設けられた把持部１０４を、アーム１０の側方から嵌入して把持するステップと、前記保持部２４とは反対側のアーム１０の端部の近傍を握持しアーム１０を支持して、保持部２４を高所に差し上げるステップと、前記把持部１０４とは反対側のアーム１０の端部の近傍を握持しアーム１０を支持して、把持部１０４を高所に差し上げるステップと、高所において、アーム固定部操作具１１００の支持杆１１１０の先端に設けられた取付具１１２０及び取付具１１３０を該支持杆１１１０の後端側にて操作して、アーム固定部１２にて、アーム取付け部１２００に取付けるステップとを含む。
【００１２】
配電設備（柱状設備）のアーム１０を、高所に取付ける間接工法に用いられる工具は、支持杆２２及び保持部２４を有するアーム保持工具２０と支持杆１０２及び把持部１０４を有するアーム把持工具１００とによって構成されている。
【００１３】
前記アーム保持工具２０の保持部２４は、アーム１０の少なくとも下方を保持する形状であり、前記アーム把持工具１００の把持部１０４は、アーム１０の少なくとも側方と下方と上方とを把持する形状である。
前記アーム保持工具２０は、前記保持部２４とは反対側のアーム１０の端部の近傍を握持して支持杆２２を高所に差し上げるように構成されており、且つ、前記アーム把持工具１００は、前記把持部１０４とは反対側のアーム１０の端部の近傍を握持して支持杆１０２を高所に差し上げるように構成されている。アーム保持工具２０とアーム把持工具１００とは、作業者（高所作業者１０１０及び高所作業者１０１２）が並んでこれらを用い、協働して、アーム１０を高所に取付けるように構成されている。
【００１４】
前記アーム保持工具２０は、長尺状の支持杆２２と、該支持杆２２の先端又は先端の近傍に設けられ、アーム１０の少なくとも下方を保持する形状の保持部２４とを備え、該保持部２４は、アーム１０の一端から挿入して配置できるように環状又はＵ字状に形成されている。この実施の形態においては、アーム１０の外周面の全面を覆うように支持する正面視方形の環状である。
【００１５】
アーム保持工具２０は、保持部２４の下端又は下隅部から保持連結部２６を突設され、該保持連結部２６は、保持部２４より斜め下方に向けてのび、その先端において、支持杆２２の先端を回動自在に連結されている。
【００１６】
アーム保持工具２０の保持連結部２６は、保持部２４の下端で隅部に連設された第１連結部８０と、支持杆２２を取り付けるための第２連結部８２と、該第１連結部８０と第２連結部８２とを可動（回動）自在に連結する可動連結部８４とを有する。
【００１７】
アーム保持工具２０の保持部２４は、アーム１０の長手方向の一端にある木口と正対させて、挿入縁６０の中にアーム１０の木口から挿入し、アーム１０の長手方向に直交ないしは交差する方向にのびるように保持される。
挿入縁６０は、保持部２４及び支持杆２２を通る基礎平面（前後方向平面）と直交する平面を備えている。
アーム１０は、保持部２４の挿入縁６０に保持されたときに、保持部２４及び支持杆２２を通る基礎平面（前後方向平面）とアーム１０の長手方向とが直交するようにのびる。
【００１８】
アーム保持工具２０の保持部２４は、第１垂直部３０と第２垂直部３２との間において、それらの上部に架設された第１水平部３４とそれらの下部に架設された第２水平部３６とによって、正面視方形の角環状に形成されている。
第１垂直部３０と第２垂直部３２とは平行であり、第１水平部３４と第２水平部３６とは平行である。第１垂直部３０と第１水平部３４とは直交し、第２垂直部３２と第２水平部３６とは直交する。
第２水平部３６は、その手前側と向こう側に、第１挿入縁拡張片６２及び第２挿入縁拡張片６４が取り付けられている。
保持部２４の挿入縁６０は、第２水平部３６の上面の挿入縁６０から第１挿入縁拡張片６２及び第２挿入縁拡張片６４の上面の挿入縁６０に拡がる、広い面積の挿入縁６０を形成されている。
【００１９】
可動連結部８４は、第１連結部８０の端部に形成された第１噛合部９０と、第２連結部８２の端部に形成された第２噛合部９２とを有する。更に、可動連結部８４は、第１連結部８０と第２連結部８２と角度を変更するときに第１噛合部９０と第２噛合部９２との噛合を外して、第１連結部８０と第２連結部８２との角度を変更した後、第１噛合部９０と第２噛合部９２とを、噛合させた状態に固定するための螺着部９４を備える。
螺着部９４は、第１連結部８０側に固定された螺子棒９４ａと、第２連結部８２側に穿設された貫通孔より突き出た螺子棒９４ａに螺合された蝶ナット９４ｂとからなる。
第１噛合部９０と第２噛合部９２との噛合を外すときには、蝶ナット９４ｂが緩められ、第１噛合部９０と第２噛合部９２とを噛合するときには、蝶ナット９４ｂを第２連結部８２の外表面に当接して、固定する。
【００２０】
アーム１０は、角柱状であり、アーム保持工具２０は、保持部２４がアーム１０の外形に相似又は近似したアーム挿入縁６０を備えている。
該保持部２４は、上方に向けて差し上げられて傾いたとき、偏位したアーム１０の複数領域、特に角隅部が保持部２４のアーム挿入縁６０に当接して、固定される。
【００２１】
前記アーム把持工具１００は、長尺状の支持杆１０２と、その先端又は先端の近傍に設けられ、アーム１０の少なくとも側方と下方と上方とを把持する形状の把持部１０４とを備える。
該把持部１０４は、アーム１０の他端側のアーム１０の側方から嵌入し把持できるように形成されている。
【００２２】
アーム把持工具１００の把持部１０４は、正面視略コ字形の把持本体１２０を有する。
把持本体１２０は、垂直架設部１３０と、該垂直架設部１３０の上部から水平方向に向いて直交するように突設された上支え部１３２と、該垂直架設部１３０の下部から水平方向に向いて直交するように突設された下支え部１３４とを備える。
上支え部１３２と下支え部１３４との間に、開口部１２６が形成されている。
【００２３】
アーム把持工具１００の下挟持部１２４は、水平方向にのびる棒状のアーム当接部１４０と、該アーム当接部１４０の中央において垂下された螺子棒１４２とを有する。螺子棒１４２は、その先端にＯリング部１４２ａを備えている。
アーム当接部１４０は、把持本体１２０の垂直架設部１３０から開口部１２６に向けてのびて、挟持されるアーム１０の下縁に沿ってのびる。
螺子棒１４２は、把持本体１２０の下支え部１３４に刻設された雌螺子部１３４ａに螺合されて、垂直方向に移動する。
上支え部１３２と下支え部１３４とは、その間に保持されたアーム１０の幅方向にのびて、アーム１０の長手方向に直交するようにのびる。
アーム当接部１４０は、上挟持部１２２と下挟持部１２４との間に保持されたアーム１０の幅方向にのびて、アーム１０の長手方向に直交するようにのびる。
【００２４】
アーム把持工具１００は、把持部１０４の下端又は下隅部から把持連結部１０６を突設され、該把持連結部１０６は、把持部１０４より斜め下方に向けてのび、その先端において、支持杆１０２の先端を回動自在に連結され、アーム把持工具１００の把持部１０４は、把持本体１２０のアーム配設部に設けられた上挟持部１２２と下挟持部１２４とを備えている。
上挟持部１２２と下挟持部１２４とは、略々平行である。
該上挟持部１２２と下挟持部１２４の少なくともいずれか一方は、上下動自在に設けられ、前記アーム配設部の横に設けられた開口部１２６より入れられたアーム１０の上側領域を、上挟持部１２２により挟持し且つ下側領域を下挟持部１２４により挟持して、アーム１０を把持するように形成されている。
【００２５】
アーム把持工具１００は、把持部１０４の上挟持部１２２がアーム１０の外形に相似又は近似したアーム当接縁１４６を備え、且つ、把持部１０４の下挟持部１２４がアーム１０の外形に相似又は近似したアーム当接縁１４８を備える。
把持部１０４は、前記上挟持部１２２のアーム当接縁１４６と下挟持部１２４のアーム当接縁１４８とが対向し、下挟持部１２４のアーム当接部１４０を、該アーム当接部１４０に突設された螺子棒１４２を回転して螺送できるように構成されている。
下挟持部１２４は、垂直架設部１３０側において、手前側と向こう側に一対のガイド体１４４が垂直架設部１３０に向けて突設されている。手前側のガイド体１４４と向こう側のガイド体１４４とによって、垂直架設部１３０の手前側面と向こう側面とを挟持する。ガイド体１４４は、下挟持部１２４の上下動のときに、垂直架設部１３０の手前側面と向こう側面とを摺動して、下挟持部１２４の上下動を正しい軌道で案内する。
【００２６】
アーム把持工具１００の把持部１０４は、アーム１０の長手方向にのびる側縁に向けて、開口部１２６を正対させ、アーム１０の長手方向と直交ないしは交差する方向に移動させて開口部１２６から上挟持部１２２と下挟持部１２４との間に導き、位置させるように形成されている。
上挟持部１２２は、段差により２種の幅の挟持部（第１挟持部１２２ａ及び第２挟持部１２２ｂ）を備えている。
幅狭の第１挟持部１２２ａの外側に、幅広の第２挟持部１２２ｂが形成されている。
下挟持部１２４は、段差により２種の幅の挟持部（第３挟持部１２４ａ及び第４挟持部１２４ｂ）を備えている。
幅狭の第３挟持部１２４ａの外側に、幅広の第４挟持部１２４ｂが形成されている。
第１挟持部１２２ａと第３挟持部１２４ａとは、対称であり、第２挟持部１２２ｂと第４挟持部１２４ｂとは対称である。
第１挟持部１２２ａと第３挟持部１２４ａとの間には、幅狭のアーム１０を挟持することができ、第２挟持部１２２ｂと第４挟持部１２４ｂとの間には、幅広のアーム１０を挟持することができる。
【００２７】
アーム１０と接合する上挟持部１２２のアーム当接縁１４６は、把持部１０４及び支持杆１０２を通る基礎平面（前後方向平面）と直交する平面を備えている。
アーム１０と接合する下挟持部１２４のアーム当接縁１４８は、把持部１０４及び支持杆１０２を通る基礎平面（前後方向平面）と直交する平面を備えている。
アーム１０は、把持部１０４の上挟持部１２２と下挟持部１２４との間に挟持されたときに、把持部１０４及び支持杆１０２を通る基礎平面（前後方向平面）とアーム１０の長手方向とが直交するようにのびる。
【００２８】
アーム把持工具１００の把持連結部１０６は、把持部１０４の下端で隅部に連設された第１連結部１８０と、支持杆１０２を取り付けるための第２連結部１８２と、該第１連結部１８０と第２連結部１８２とを可動（回動）自在に連結する可動連結部１８４とを有する。
【００２９】
可動連結部１８４は、第１連結部１８０の端部に形成された第１噛合部１９０と、第２連結部１８２の端部に形成された第２噛合部１９２とを有する。更に、可動連結部１８４は、第１連結部１８０と第２連結部１８２と角度を変更するときに第１噛合部１９０と第２噛合部１９２との噛合を外して、第１連結部１８０と第２連結部１８２との角度を変更した後、第１噛合部１９０と第２噛合部１９２とを、噛合させた状態に固定するための螺着部１９４を備える。
螺着部１９４は、第１連結部１８０側に固定された螺子棒１９４ａと、第２連結部１８２側に穿設された貫通孔より突き出た螺子棒１９４ａに螺合された蝶ナット１９４ｂとからなる。
第１噛合部１９０と第２噛合部１９２との噛合を外すときには、蝶ナット１９４ｂが緩められ、第１噛合部１９０と第２噛合部１９２とを噛合するときには、蝶ナット１９４ｂを第２連結部１８２の外表面に当接して、固定する。
【００３０】
アーム保持工具２０の第２連結部８２は、支持杆２２の差し込み部２００を嵌合させるための受け部２２０を備えている。
受け部２２０は、筒部の一部を切り欠いてなる抜け止め溝部２２２を備え、該抜け止め溝部２２２に、支持杆２２の差し込み部２００に突設された係合凸部２０２を係止させるように形成されている。
この発明の実施の形態においては、支持杆２２を回動させて、該係合凸部２０２を抜け止め溝部２２２内に位置させて係止させ、且つ支持杆２２を反対方向に回動させて、該係合凸部２０２を抜け止め溝部２２２から脱係させるように形成されている。
【００３１】
アーム把持工具１００の第２連結部１８２は、支持杆１０２の差し込み部２００を嵌合させるための受け部２２０を備えている。
受け部２２０は、筒部の一部を切り欠いてなる抜け止め溝部２２２を備え、該抜け止め溝部２２２に、支持杆１０２の差し込み部２００に突設された係合凸部２０２を係止させるように形成されている。
この発明の実施の形態においては、支持杆１０２を回動させて、該係合凸部２０２を抜け止め溝部２２２内に位置させて係止させ、且つ支持杆１０２を反対方向に回動させて、該係合凸部２０２を抜け止め溝部２２２から脱係させるように形成されている。
【００３２】
支持杆２２の差し込み部２００は、差し込み本体２０４の中央においてその長手方向に移動するスライダー２０６と、スライダー２０６の移動を案内するスライダ軸２０８と、スライダー２０６を差し込み本体２０４より突出する方向に付勢する、スライダ軸２０８の周囲に巻装されたスライダバネ２１０とを備える。
差し込み本体２０４は、円柱状であって、その径方向に係合凸部２０２を突設されている。
差し込み本体２０４は、係合凸部２０２より後端側すなわち支持杆２２側において、その外周面に雄螺子部２１２を刻設され、該雄螺子部２１２の外周面に固定螺子部２１４を螺合されている。
固定螺子部２１４は、差し込み本体２０４を受け部２２０に嵌合したとき、受け部２２０側に螺送されて、受け部２２０の出入り口部２２４の周囲に当接するまで、差し込み部２００を受け部２２０側に押圧する。
【００３３】
アーム保持工具２０及びアーム把持工具１００の受け部２２０は、差し込み部２００を受け入れるのと同時に、前記係合凸部２０２をその出入り口部２２４から軸線方向に受け入れた後、差し込み部２００の回り止め、抜け止めする掛け止め溝２２６が設けられている。
掛け止め溝２２６は、差し込み部２００の回転を伴う周方向（時計回り方向及び反時計回り方向）へ、係合凸部２０２を案内する渡り案内部２２８と、渡り案内部２２８によって案内された係合凸部２０２を係合する凸部係合部２３０とを備える。
渡り案内部２２８は、受け部２２０の周方向にのび、凸部係合部２３０は、軸線方向であって差し込み部２００の引き出し側にのびる。
差し込み部２００のスライダバネ２１０は、係合凸部２０２が凸部係合部２３０へ係合されたときに、その係合位置において圧接させ又は保持するように付勢する。
【００３４】
次に、アーム保持工具２０及びアーム把持工具１００を用いて、アーム１０を、電柱ないしは鉄塔等の高所に取り付ける方法について説明する。
【００３５】
まず、アーム１０をアーム取付け部１２００を構成するいわゆるＥ型腕木（アーム）に取り付ける方法について、主として図１５Ａ及び図１６Ａ〜Ｃに基づいて説明する。高所作業車１０００の車体上に起伏・伸縮作動等が自在なブーム１００２を設けるとともに、このブーム１００２の先端部に作業者搭乗用の作業台１００４が設けられた高所作業車１０００を準備し、作業台１００４に、アーム保持工具２０を操作する高所作業者１０１０とアーム把持工具１００を操作する高所作業者１０１２とが搭乗する。
【００３６】
次に、アーム保持工具２０を操作する高所作業者１０１０は、長手方向を有するアーム１０の一端側に、アーム保持工具２０における、長尺状の支持杆２２の先端又はその近傍に設けられた環状又はＵ字状の保持部２４を、アーム１０の一端から挿入して配置する。
又、アーム把持工具１００を操作する高所作業者１０１２は、長手方向を有するアーム１０の他端側に、アーム把持工具１００における、長尺状の支持杆１０２の先端、又はその近傍に設けられた把持部１０４を、アーム１０の側方から嵌入して配置する。
上挟持部１２２と下挟持部１２４との間に嵌入されたアーム１０を、螺子棒１４２の先端のＯリング部１４２ａを回してアーム当接部１４０を上昇させて、上挟持部１２２と下挟持部１２４との間に確実に挟持させる。
次に、アーム保持工具２０を操作する高所作業者１０１０は、前記保持部２４とは反対側の支持杆２２の端部の近傍を握持し支持杆２２を支持して、アーム１０を保持している保持部２４を高所に差し上げる。
又、アーム把持工具１００を操作する高所作業者１０１２は、前記把持部１０４とは反対側の支持杆１０２の端部の近傍を握持し支持杆１０２を支持して、アーム１０を保持している把持部１０４を高所に差し上げる。
【００３７】
次に、アーム１０を取り付けるアーム固定部操作具１１００を操作する作業者は、高所において、間接工具であるアーム固定部操作具１１００の支持杆１１１０の先端に設けられた取付具１１２０及び取付具１１３０を該支持杆１１１０の後端側にて操作して、アーム固定部１２にて、アーム取付け部１２００に取付ける。
【００３８】
アーム１０を間接活線工法において、取り付け場所であるアーム取付け部１２００（いわゆるＥ型腕木）に取り付ける方法の一例について、主として、図１６Ａないし１６Ｃに基づいて、次に説明する。
アーム１０は、例えば、上面に、アーム固定部１２を突設されている。
アーム固定部１２は、アーム１０に連結された垂直固定部材１２ａと、該垂直固定部材１２ｂと平行に設けられた垂直固定部材１２ｂと、垂直固定部材１２ａ及び垂直固定部材１２ｂのそれぞれの上端において架け渡された水平固定部材１２ｃとによって形成されている。
アーム固定部１２は、垂直固定部材１２ａと垂直固定部材１２ｂと水平固定部材１２ｃとを金属で一体成形されている。
まず、該アーム１０を、本発明に係るアーム保持工具２０及びアーム把持工具１００を用いて、取り付け場所に持ち上げ、アーム取付け部１２００の上方より垂直固定部材１２ａ及び垂直固定部材１２ｂを垂下させて、固定場所であるアーム取付け部１２００の両面に、垂直固定部材１２ａと垂直固定部材１２ｂとを配設し、アーム取付け部１２００の上面に水平固定部材１２ｃを接合する。
【００３９】
そこで、例えば、絶縁棒の先端に把持具を設けたヤットコからなるアーム固定部操作具１１００で、ボルトを垂直固定部材１２ｂに貫設されたボルト孔に取り付ける。
次に、該ボルトをアーム取付け部１２００を貫挿させて垂直固定部材１２ａに貫設されたボルト孔に貫挿して、外側に突き出させる。
その後、例えば、該ボルトがアーム取付け部１２００を貫挿して垂直固定部材１２ａ側に突き出た部分に、ナットを、支持杆１１１０の先端に設けられたナット把持具等の取付具１１３０により螺合する。
そして、該ボルトの頭を支持杆１１１０の先端に設けられたボルト把持具等の取付具１１２０で把持するとともに、ナットを支持杆１１１０の先端に設けられたナット把持具等の取付具１１３０により締める。
このようにして、アーム１０は、アーム取付け部１２００に取り付けられる。
【００４０】
35
次に、アーム１０をアーム取付け部１２００を構成するいわゆるＦ型腕木（アーム）に取り付ける方法について、主として図１５Ｂ及び図１７Ａ〜Ｃに基づいて説明する。
高所作業車１０００の車体上に起伏・伸縮作動等が自在なブーム１００２を設けるとともに、このブーム１００２の先端部に作業者搭乗用の作業台１００４が設けられた高所作業車１０００を準備し、作業台１００４に、アーム把持工具１００を操作する高所作業者１０１２が搭乗する。
【００４１】
36
次に、アーム把持工具１００を操作する高所作業者１０１２は、長手方向を有するアーム１０の他端側に、アーム把持工具１００における、長尺状の支持杆１０２の先端、又はその近傍に設けられた把持部１０４を、アーム１０の側方から嵌入して配置する。
上挟持部１２２と下挟持部１２４との間に嵌入されたアーム１０を、螺子棒１４２の先端のＯリング部１４２ａを回してアーム当接部１４０を上昇させて、上挟持部１２２と下挟持部１２４との間に確実に挟持させる。
次に、アーム把持工具１００を操作する高所作業者１０１２は、前記把持部１０４とは反対側の支持杆１０２の端部の近傍を握持し支持杆１０２を支持して、アーム１０を保持している把持部１０４を高所に差し上げる。
【００４２】
37
次に、アーム１０を取り付けるアーム固定部操作具１１００を操作する作業者は、高所において、間接工具であるアーム固定部操作具１１００の支持杆１１１０の先端に設けられた取付具１１２０及び取付具１１３０を該支持杆１１１０の後端側にて操作して、アーム固定部１２にて、アーム取付け部１２００に取付ける。
【００４３】
38
アーム１０を間接活線工法において、取り付け場所であるアーム取付け部１２００（いわゆるＦ型腕木）に取り付ける方法の一例について、主として、図１７Ａないし１７Ｃに基づいて、次に説明する。
アーム１０は、例えば、上面に、アーム固定部１２を構成する垂直固定部材１２ａと垂直固定部材１２ｂとを設けられている。
垂直固定部材１２ａと垂直固定部材１２ｂとは、アーム１０の上面から突設されており、それらは、平行にのびる金属板である。
まず、該アーム１０を、本発明に係るアーム保持工具２０及びアーム把持工具１００を用いて、取り付け場所に持ち上げ、固定場所であるアーム取付け部１２００の両面に、垂直固定部材１２ａと垂直固定部材１２ｂとを配設する。
【００４４】
39
そこで、例えば、絶縁棒の先端に把持具を設けたヤットコからなるアーム固定部操作具１１００で、ボルトを垂直固定部材１２ｂに貫設されたボルト孔に取り付ける。
次に、該ボルトをアーム取付け部１２００を貫挿させて垂直固定部材１２ａに貫設されたボルト孔に貫挿して、外側に突き出させる。
その後、例えば、該ボルトがアーム取付け部１２００を貫挿して垂直固定部材１２ａ側に突き出た部分に、ナットを、支持杆１１１０の先端に設けられたナット把持具等の取付具１１３０により螺合する。
そして、該ボルトの頭を支持杆１１１０の先端に設けられたボルト把持具等の取付具１１２０で把持するとともに、ナットを支持杆１１１０の先端に設けられたナット把持具等の取付具１１３０により締める。
このようにして、アーム１０は、アーム取付け部１２００に取り付けられる。
【００４５】
40
このようなＣＦ遮断機及び腕木等のアームを電柱に取り付けたり、取り外したりする作業を、高所作業車に搭乗した作業者は、直接的に手作業で行うことなく、アーム保持工具２０及びアーム把持工具１００を用いて、間接的に作業を行える。
したがって、電柱には活線等が取り付けられていても、作業者に対する危険性を配慮する必要が少なくなる。
【符号の説明】
【００４６】
41
１０  アーム
１２  アーム固定部
１２ａ，１２ｂ  垂直固定部材
１２ｃ  水平固定部材
２０  アーム保持工具
２２  支持杆
２４  保持部
２６  保持連結部
３０  第１垂直部
３２  第２垂直部
３４  第１水平部
３６  第２水平部
６０  挿入縁
６２  第１挿入縁拡張片
６４  第２挿入縁拡張片
８０  第１連結部
８２  第２連結部
８４  可動連結部
９０  第１噛合部
９２  第２噛合部
９４  螺着部
９４ａ  螺子棒
９４ｂ  蝶ナット
１００  アーム把持工具
１０２  支持杆
１０４  把持部
１０６  把持連結部
１２０  把持本体
１２２  上挟持部
１２２ａ  第１挟持部
１２２ｂ  第２挟持部
１２４  下挟持部
１２４ａ  第３挟持部
１２４ｂ  第４挟持部
１２６  開口部
１３０  垂直架設部
１３２  上支え部
１３４  下支え部
１３４ａ  雌螺子部
１４０  アーム当接部
１４２  螺子棒
１４２ａ  Ｏリング部
１４４  ガイド体
１４６，１４８  アーム当接縁
１８０  第１連結部
１８２  第２連結部
１８４  可動連結部
１９０  第１噛合部
１９２  第２噛合部
１９４  螺着部
１９４ａ  螺子棒
１９４ｂ  蝶ナット
２００  差し込み部
２０２  係合凸部
２０４  差し込み本体
２０６  スライダー
２０８  スライダ軸
２１０  スライダバネ
２１２  雄螺子部
２１４  固定螺子部
２２０  受け部
２２２  抜け止め溝部
２２４  出入り口部
２２６  掛け止め溝
２２８  渡り案内部
２３０  凸部係合部
１０００  高所作業車
１００２  ブーム
１００４  作業台
１０１０  高所作業者
１０１２  高所作業者
１１００  アーム固定部操作具
１１１０  支持杆
１１２０，１１３０  取付具
１２００  アーム取付け部
【図１Ａ】
0006486625.tif 000002
【図１Ｂ】
0006486625.tif 000003
【図２】
0006486625.tif 000004
【図３】
0006486625.tif 000005
【図４】
0006486625.tif 000006
【図５】
0006486625.tif 000007
【図６】
0006486625.tif 000008
【図７】
0006486625.tif 000009
【図８】
0006486625.tif 000010
【図９】
0006486625.tif 000011
【図１０】
0006486625.tif 000012
【図１１】
0006486625.tif 000013
【図１２】
0006486625.tif 000014
【図１３】
0006486625.tif 000015
【図１４】
0006486625.tif 000016
【図１５Ａ】
0006486625.tif 000017
【図１５Ｂ】
0006486625.tif 000018
【図１６Ａ】
0006486625.tif 000019
【図１６Ｂ】
0006486625.tif 000020
【図１６Ｃ】
0006486625.tif 000021
【図１７Ａ】
0006486625.tif 000022
【図１７Ｂ】
0006486625.tif 000023
【図１７Ｃ】
0006486625.tif 000024